(57)【要約】【課題】排水桝を建物の床下にまとめて設置する床下排水配管構造においても、床下点検等の場合に、作業者が床下の任意の箇所に移動でき、簡易に床下点検等を行うことができるようにした床下の排水配管における布基礎開口部の配管構造を提供すること。【解決手段】床下に配管される排水配管構造において、布基礎開口部Ｂｈの位置を横切るように配管される排水管４を撤去可能に構成し、この撤去可能な排水管４を、床下の排水主管３に対し、継手部５を介して取外可能に接続する。【選択図】図２
2005076336.tif 000002
【特許請求の範囲】
【請求項１】
床下に配管される排水配管構造において、布基礎開口部の位置を横切るように配管される排水管を撤去可能に構成し、該撤去可能な排水管を、床下の排水主管に対し、継手部を介して取外可能に接続するようにしたことを特徴とする床下の排水配管における布基礎開口部の配管構造。
【請求項２】
撤去可能な排水管の長さを、布基礎開口部の幅の長さと略等しくしたことを特徴とする請求項１記載の床下の排水配管における布基礎開口部の配管構造。
【請求項３】
継手部を、排水主管と、これと対設する撤去可能な排水管の端部にそれぞれ配設し、締結具にて固定できるようにしたことを特徴とする請求項１又は２記載の床下の排水配管における布基礎開口部の配管構造。
【請求項４】
撤去可能な排水管を、透明又は半透明の合成樹脂製成形品で構成したことを特徴とする請求項１、２又は３記載の床下の排水配管における布基礎開口部の配管構造。
【発明の詳細な説明】
【技術分野】
【０００１】
本発明は、床下の排水配管における布基礎開口部の配管構造に関し、特に、排水桝を建物の床下にまとめて設置する床下排水配管構造においても、床下点検等の場合に、作業者が床下の任意の箇所に移動でき、簡易に床下点検等を行うことができるようにした床下の排水配管における布基礎開口部の配管構造に関するものである。
【背景技術】
【０００２】
従来、宅地内等に設置される排水桝は、この宅地内に建てられる建物の各排水設備、例えば、風呂、厨房、トイレ、洗面所、洗濯場等から延出するようにしている配水管毎にそれぞれ設置するようにしている。このため、宅地が狭く、宅地内における排水桝を設置するための配管場所が十分にない場合には、排水桝の設置が困難となる。
さらには、これら排水桝を建物から離れた場所に設置する際には、これらの排水桝を設置する際における配管作業が煩雑となる。
【０００３】
これらの不具合を解消するため、近年、排水桝（排水ヘッダー）を建物の床下にまとめて設置する床下排水配管構造のものが提案されている（特許文献１参照）。
【０００４】
ところで、上記の排水桝を建物の床下にまとめて設置する床下排水配管構造においては、排水配管が、建物の床下に露出した状態で配管されることとなる。
【０００５】
このため、通常、建物においては、床下点検等のため、作業者が床下に潜り、床下の任意の箇所に移動できるように、布基礎の一部を切り欠くようにして開口部を形成しているが、この開口部を、建物の床下に露出した状態で配管された排水配管が横断するようになり、床下の点検を行う際、この開口部位置の排水配管が作業者の移動を阻害し、このため簡易に床下点検を行うことができないという問題があった。
【特許文献１】特開２００２−２７６０１８号公報
【発明の開示】
【発明が解決しようとする課題】
【０００６】
本発明は、上記の排水桝を建物の床下にまとめて設置する床下排水配管構造の有する問題点に鑑み、排水桝を建物の床下にまとめて設置する床下排水配管構造においても、床下点検等の場合に、作業者が床下の任意の箇所に移動でき、簡易に床下点検等を行うことができるようにした床下の排水配管における布基礎開口部の配管構造を提供することを目的とする。
【課題を解決するための手段】
【０００７】
上記目的を達成するため、本発明の床下の排水配管における開口部の配管構造は、床下に配管される排水配管構造において、布基礎開口部の位置を横切るように配管される配水管を撤去可能に構成し、該撤去可能な排水管を、床下の排水主管に対し、継手部を介して取外可能に接続するようにしたことを特徴とする。
【０００８】
この場合において、撤去可能な排水管の長さを、布基礎開口部の幅の長さと略等しくすることができる。
【０００９】
また、継手部を、排水主管と、これと対設する撤去可能な排水管の端部にそれぞれ配設し、締結具にて固定できるようにすることができる。
【００１０】
また、撤去可能な排水管を、透明又は半透明の合成樹脂製成形品で構成することができる。
【発明の効果】
【００１１】
本発明の床下の排水配管における布基礎開口部の配管構造によれば、布基礎開口部の撤去可能な排水管を、床下の排水主管に対し、継手部を介して取外可能に接続するようにしているから、床下での作業が生じた場合でも、布基礎開口部位置の撤去可能な排水管を、継手部を緩めるだけで簡単に取り外すことができ、作業者は布基礎開口部を経ての移動が簡単に行え、また作業終了後も継手部を介して一時撤去しておいた撤去可能な排水管を用いて迅速に排水主管に接続して復元することができるので、狭い空間の床下での作業性を向上させることができ、さらには作業に伴う排水不可能な時間を短縮することができる。
【００１２】
また、撤去可能な排水管の長さを、布基礎開口部の幅の長さと略等しくすることにより、撤去可能な排水管を排水主管より取り外すだけで、布基礎開口部の幅全体において配管の突出物がなくなり、作業者の移動が容易に行えるようになる。
【００１３】
また、継手部を、排水主管と、これと対設する撤去可能な排水管の端部にそれぞれ配設し、締結具にて固定できるようにすることにより、排水主管と撤去可能な排水管の端部にそれぞれ配設する継手部を、締結具にて固定でき、撤去可能な排水管の取り外し、及び再取り付けを簡単かつ迅速に行うことができる。
【００１４】
また、撤去可能な排水管を、透明又は半透明の合成樹脂製成形品で構成することにより、外側から排水管の内部を目視できるので、排水管内に排水が残留していないことを確認した上で、排水管を撤去することができ、排水管内に残留している排水によって床下を汚すおそれを排除できる。また、排水管の汚れ等の排水管の状態を容易に確認することができる。
【発明を実施するための最良の形態】
【００１５】
以下、本発明の床下の排水配管における布基礎開口部の配管構造の実施の形態を図面に基づいて説明する。
【実施例１】
【００１６】
図１〜図６に、本発明の床下の排水配管における布基礎開口部の配管構造を適用した床下排水配管構造の一実施例を示す。
【００１７】
この床下の排水配管における布基礎開口部の配管構造は、建物の平面図形に沿って築造される布基礎Ｂにおいて、その布基礎Ｂに作業者が床下を移動できるように形成した開口部Ｂｈを横切るようにして配管される排水主管３に対し、この布基礎開口部位置に当たる部分に配管される排水管を撤去可能に構成し、該撤去可能な排水管４を、継手フランジ等の継手部５を、該継手部締結用のボルトナット６、７を介して接続し、この締結具を緩めたり、締め付けたりすることで撤去可能な排水管４を簡易に取り外して、作業者が布基礎開口部Ｂｈを経て床下を自由に移動できるようにし、また、作業終了後はこの該継手部５を介して撤去可能な排水管４を再び簡単に取り付けられるようにして、床下の狭い空間での作業性を向上させるようにしたものである。
【００１８】
布基礎Ｂは、図１、図２に示すように、一般には、建物の外周に沿って形成される外周基礎Ｂ１と、この外周基礎Ｂ１に対し、建物の加重を外周基礎Ｂ１とともに分散して支持できるように、建物の平面形状等に相応しく、内基礎Ｂ２、Ｂ３が外周基礎Ｂ１と平行又はクロスするようにして一体となるように築造され、この主として内基礎Ｂ２、Ｂ３に床下点検用、或いは、作業用の開口部Ｂｈが形成される。
また、近年、宅地内における排水桝を設置するための配管場所が狭く、設置が困難な場合、或いはこれら排水桝を離れた場所に設置しなければならないような場合には、これらの排水桝を設置する際における配管作業が煩雑となるのを防ぐため、排水桝を建物の床下にまとめて設置するようにしている。
【００１９】
この建物の床下にまとめて排水桝を設置する場合、宅地内に立て建てられる建物内に配置される風呂、厨房、トイレ、洗面所、洗濯場等の各排水設備から延出するようにしてそれぞれ排水管８、８を接続し、この各延出排水管８、８を床下に集中して配設されるように、特に限定されるものではないが、例えば、図示のように複数の排水桝１、１、１を直列的に配置し、この各排水桝１、１、１にそれぞれ接続して集中して排水するようにしている。
このため、排水桝１は布基礎Ｂの開口部Ｂｈの位置を避けるようにして配置することができるが、この排水桝１に接続される排水主管３の一部が布基礎Ｂの開口部Ｂｈの位置を横切るように配管されることがある。
このような場合、排水桝１に所要の排水勾配を有して接続される排水主管３において、布基礎Ｂの開口部Ｂｈ位置を横切る箇所の排水主管３を分離し、該開口部Ｂｈ位置の排水管を撤去可能に構成し、該撤去可能な排水管４の長さＬを、開口部Ｂｈの幅Ｗと同じ長さとなるようにする。
これにより、撤去可能な排水管４を、排水主管３の分離位置に継手部５及びボルトナット等の締結具６、７を介して取り付け、取り外しを簡易に行えるように、かつ迅速に復元できるようにする。
【００２０】
この排水主管３の分離端面と、撤去可能な排水管４の端面とは、互いに接続できるような継手部５を一体に取り付ける。この継手部５は、特に限定されるものではないが、例えば、図示のように継手部片５Ａと、継手部片５Ｂとの２つを一対となるものを互いに対設し、ボルトナット等の締結具６、７にて締結して一体となるようにする。したがって、この排水主管３と撤去可能な排水管４との接続時に、継手部片５Ａと、継手部片５Ｂとは互いに対向するようにそれぞれ取り付けるようにする。
この撤去可能な排水管４は、図３に示すように、所要の長さを有する排水管４０の一端に継手部片５Ａを、他端に継手部片５Ｂをそれぞれ固定し、この全長Ｌを布基礎Ｂの開口部Ｂｈの幅Ｗと略一致するようにする。
【００２１】
継手部片５Ａは、図４に示すように、排水主管３と撤去可能な排水管４との接続を確実に、かつ簡易に行えるように所要の径を有し、中央部に排水主管３及び撤去可能な排水管４の内径と略等しくした貫通孔５０及び外周部に複数のボルト孔５２とを形成したフランジ部５１と、このフランジ部５１の片側面の接続面側で貫通孔５０の外周部を覆うようにしてフランジ部５１の一側面より突出するようにして形成した短筒状の管抱持部５３と、このフランジ部５１に特に限定されるものではないが、例えば、管抱持部５３との連接部分に形成したパッキン嵌合溝５４とより構成する。
この短筒状の管抱持部５３の内径は、この管抱持部５３内に嵌合する排水主管３又は撤去可能な排水管４の外径に合わせて定め、排水主管３又は撤去可能な排水管４が嵌合され、接着剤にて水密的に固定保持されるようにする。このため、管抱持部５３の内径は、貫通孔５０の内径よりも排水主管３又は撤去可能な排水管４の管肉厚分だけ大きく設定している。
また、必要に応じて、継手部片５Ａの軽量化、合成樹脂における形成時のフランジ部平坦面の形状維持のため、フランジ部５１の接続面側にはくぼみ５５ａを、パッキン嵌合溝５４の外周部でその反接続面側には、リング状のくぼみ５５ｂを形成することがある。
【００２２】
また、継手部片５Ｂは、図５に示すように、継手部片５Ａと同様に、中央部に排水主管３及び撤去可能な排水管４の内径と略等しくした貫通孔５０と、外周部に複数のボルト孔５２とを形成したフランジ部５１と、このフランジ部５１の片側面の接続面側で貫通孔５０の外周部を覆うようにしてフランジ部５１より突出するようにして形成した短筒状の管抱持部５３とより構成する。
この継手部片５Ｂには、特に限定されるものではないが、パッキン嵌合溝５４を設けないが、必要に応じて、この軽量化、合成樹脂による形成時のフランジ部平坦面の形状維持のため、フランジ部５１の接続面側にはくぼみ５５ａを形成することがある。
なお、この継手部片５Ｂに突設する管抱持部５３は、継手部片５Ａに突設する管抱持部５３とは反対方向となり、継手部片５Ａと継手部片５Ｂとをその接続面を合わせて接続する際、それぞれの管抱持部５３、５３は、図３に示すように、互いに反対方向に突出するようにする。
【００２３】
なお、排水主管３の分離端面と、撤去可能な排水管４の端面とを互いに接続する継手部５には、上記のもののほか、例えば、図６に示すように、継手部片５Ａと継手部片５Ｂをクランプ部材５Ｃにより接続する構成を採用することもできる。
なお、この場合も、継手部片５Ａと継手部片５Ｂとの間には、止水のためのパッキン（図示省略）を介在させるようにする。
【００２４】
また、撤去可能な排水管４は、透明又は半透明の合成樹脂製成形品で構成することが好ましい。
これにより、外側から排水管４の内部を目視できるので、排水管４内に排水が残留していないことを確認した上で、排水管４を撤去することができ、排水管４内に残留している排水によって床下を汚すおそれを排除できる。また、排水管４の汚れ等の排水管４の状態を容易に確認することができる。
【００２５】
次に、この床下の排水配管における布基礎開口部の配管構造の作用について説明する。
建物の外部に配設した外部排水桝９より排水基管２を介して床下に配設した排水桝１を接続するようにするとともに、この排水桝１には、建物内の風呂、厨房、トイレ、洗面所、洗濯場等の各排水設備から延出するようにしてそれぞれ延出排水管８、８を接続する。
また、排水桝１には、他の場所から、特に限定されるものではないが、例えば、２階の洗面所やシャワー室からの排水をも同時に排水できるように、排水主管３を接続する。この場合、排水主管３の配管位置が、図１、図２に示すように、布基礎開口部Ｂｈを横切るように配管されるとき、この布基礎開口部Ｂｈの位置の排水主管３を分離し、この布基礎開口部Ｂｈ位置の排水配管に、布基礎開口部Ｂｈの幅Ｗと同じ長さＬを有し、かつ両端に継手部片５Ａと継手部片５Ｂとを一体となるように取り付けた撤去可能な排水管４を配置し、排水主管３側の継手部片５Ａ、５Ｂに接続する。
この場合、互いに対向する継手部片５Ａ、５Ｂのボルト孔５２の位置を合わせるとともに、パッキン嵌合溝５４内にＯリング等のパッキン（図示省略）を嵌合し、ボルト孔５２にボルト６を貫通し、これにナット７を螺合して締結する。
なお、このナット７を、予め継手部片５Ａのボルト孔５２位置に合わせて、かつ反接続面側に溶接等により固定することもできる。
【００２６】
床下点検時において、排水配管された布基礎開口部Ｂｈより作業者の移動の必要性が生じた場合、ボルト６、ナット７の締結を解除することにより、排水主管３と撤去可能な排水管４の接続が解除され、簡単に該撤去可能な排水管４を取り外すことができる。
【００２７】
そして、床下の点検等の作業終了後、先に取り外した撤去可能な排水管４を、排水主管３の端部に添わせることにより排水主管３側の継手部片５Ａと撤去可能な排水管４側の継手部片５Ｂと、また、排水主管３側の継手部片５Ｂと撤去可能な排水管４側の継手部片５Ａとをそれぞれ対向するようになり、これに再びボルトナットを締結するだけで簡単に接続され、これにより、狭い空間の床下での作業性が向上するものとなる。
【００２８】
以上、本発明の床下の排水配管における布基礎開口部の配管構造について、その実施例に基づいて説明したが、本発明は上記実施例に記載した構成に限定されるものではなく、例えば、排水桝に接続された排水基管側にも撤去可能な排水管を接続する等、その趣旨を逸脱しない範囲において適宜その構成を変更することができるものである。
【産業上の利用可能性】
【００２９】
本発明の床下の排水配管における布基礎開口部の配管構造は、床下点検等の場合に、作業者が床下の任意の箇所に移動でき、簡易に床下点検等を行うことができることから、排水桝を建物の床下にまとめて設置する床下排水配管構造に好適に適用することができる。
【図面の簡単な説明】
【００３０】
【図１】本発明の床下の排水配管における布基礎開口部の配管構造の一実施例を示し、布基礎の開口部に沿って配管される場合の平面図である。
【図２】同縦断正面図である。
【図３】撤去可能な排水管の拡大説明図で、（Ａ）は接続部の拡大断面図、（Ｂ）は一方の継手部の側面図、（Ｃ）はその断面図 、（Ｄ）は他方の継手部の断面図、（Ｅ）はその側面図、（Ｆ）は取り外し可能とした布基礎開口部の排水配管の断面図である。
【図４】継手部片５Ａの拡大説明図で、（Ａ）はＡ−Ａ線による断面側面図、（Ｂ）は接続面側の側面図、（Ｃ）は Ｂ−Ｂ線による側面断面図、（Ｄ）は反接続面側の側面図である。
【図５】継手部片５Ｂの拡大説明図で、（Ａ）は反接続面側の側面図、（Ｂ）はＡ−Ａ線による側面断面図、（Ｃ）は接続面側の側面図である。
【図６】継手部の変形例を示し、（Ａ）は継手部に用いるクランプ部材の一例を示す説明図、（Ｂ）は継手部の分解斜視図である。
【符号の説明】
【００３１】
Ｂ    布基礎
Ｂ１  外周基礎
Ｂ２  内基礎
Ｂ３  内基礎
Ｂｈ  作業用又は点検用の開口部
１    排水桝
２    排水基管
３    排水主管
４    撤去可能な排水管
５    継手部
５Ａ  継手部片
５Ｂ  継手部片
５Ｃ  クランプ部材
５０  貫通孔
５１  フランジ部
５２  ボルト孔
５３  短筒状の管抱持部
５４  パッキン嵌合溝
６    ボルト
７    ナット
８    延出排水管
９    外部排水桝
【図１】
2005076336.tif 000003
【図２】
2005076336.tif 000004
【図３】
2005076336.tif 000005
【図４】
2005076336.tif 000006
【図５】
2005076336.tif 000007
【図６】
2005076336.tif 000008